(57)【特許請求の範囲】
【請求項１】
先端にペン先部を有し内部にインキが充填されたインキ芯体と、前記インキ芯体を長さ方向に往復動可能に支持する本体部と、前記本体部の基端側に回動可能に連設される胴部とを備え、前記胴部の回動操作により前記インキ芯体が往復動して本体部の先端側よりペン先部が出没する筆記具において、
前記胴部は、金属製の空薬莢により形成される外筒部の内部に内筒部が固定されてなり、
前記本体部は、金属製の弾頭により形成される口金部と、前記インキ芯体のペン先部を前記口金部より出没動作させる繰出機構部とを備え、前記繰出機構部は、一方が他方に対して回動自由に連結された２個の回転筒と、回転筒の内部に各回転筒の回動に応動するように往復動可能に配備された移動筒とを備えており、前記口金部は一方の回転筒に、前記胴部の内筒部は他方の回転筒に、それぞれ連結されるとともに、前記インキ芯体は前記移動筒に着脱交換可能に支持されてなる筆記具。
【請求項２】
前記内筒部は、一方の開口端にナット部材が装着され、前記ナット部材に前記外筒部の基端部にネジ頭部が支持されたネジをネジ込むことにより外筒部内に内筒部が固定されている請求項１に記載の筆記具。
【発明の詳細な説明】
【技術分野】
【０００１】
この発明は、ボールペンとして使用される筆記具に関し、この発明は特に、ライフル弾の空薬莢を廃物利用して製作される筆記具に関する。
【背景技術】
【０００２】
従来、ボールペンには種々の態様のものが製品化されている。実用性を重視したものは、使用によりインキ芯体に充填されたインキがなくなると、新たなインキ芯体に交換できる替芯タイプのものが殆どである。この種のものには、多色のインキ芯体を組み込むなどして機能性を高めたものの他に、胴部の表面に図柄や模様を表すなどしてデザイン性を付加したものもある。
【０００３】
一方、装飾性を重視したものは、使用によりインキ芯体のインキがなくなっても新たなインキ芯体に交換できないタイプのものが殆どである。このタイプのボールペンとして、胴部をユニークな形態としたものがあり、例えば、エッフェル塔などの建造物をかたどったもの、人参、ナスなどの野菜をかたどったもの、ねこなどの動物をかたどったもの、ギターなどの楽器をかたどったものなどが製品化されている。しかし、いずれのボールペンも、廃棄されるべき廃品を有効利用して製作されたものではない。
【０００４】
ところで、軍用、狩猟用、スポーツ用としてライフル銃が用いられている。例えば、射撃場では、毎日多量の弾薬が消費され、多量の空薬莢が発生する。ライフル弾として金属製の弾薬が用いられている。この弾薬は、図５に示すように、発射薬１０１が装填された薬莢１０２の後端部に雷管１０３が組み付けられ、薬莢１０２の先端部に弾頭１０４が嵌着されたものである。雷管１０３内の点火材が点火されると、発射薬１０１が燃焼し、燃焼時のガス圧で弾頭１０４が発射されるもので、空の薬莢１０２が廃物として残る。資源の活用をはかるため、空薬莢に付加価値をつけて廃物利用するのが望ましく、出願人は、先般、空薬莢をファッションのための要素として生かすとともに、空薬莢に特定携行物を入れる物入れとしての機能を付加したものを提案した（例えば特許文献１の図８の実施例参照）。
【先行技術文献】
【特許文献】
【０００５】
【特許文献１】実用新案登録第３１９９１３２号
【発明の概要】
【発明が解決しようとする課題】
【０００６】
しかし、上記した携帯用物入れは、身飾品としての要素が強く、ファッション性が重視される関係上、需要者が限られるという問題がある。さらなる資源の活用をはかるには、需要者の拡大をはかることが重要であり、そのために、空薬莢に実用品としての付加価値をつけて廃物利用するのが望しいが、現在のところ、その種のものは殆ど提案されていない。
【０００７】
この発明は、ライフル弾の空薬莢に実用品としての付加価値をつけて廃物利用するもので、ライフル弾の空薬莢に替芯タイプの筆記具としての機能を付加することにより、需要者を拡大し、もって、さらなる資源の活用をはかることを目的とする。
【課題を解決するための手段】
【０００８】
この発明による筆記具は、先端にペン先部を有し内部にインキが充填されたインキ芯体と、前記インキ芯体を長さ方向に往復動可能に支持する本体部と、前記本体部の基端側に正逆回動可能に連設される胴部とを備え、前記胴部の回動操作により前記インキ芯体が往復動して本体部の先端側よりペン先部が出没するものである。前記胴部は、金属製の空薬莢により形成される外筒部の内部に内筒部が固定されてなる。前記本体部は、金属製の弾頭により形成される口金部と、前記インキ芯体のペン先部を前記口金部より出没動作させる繰出機構部とを備え、前記繰出機構部は、一方が他方に対して回動自由に連結された２個の回転筒と、回転筒の内部に各回転筒の回動に応動するように往復動可能に配備された移動筒とを備えている。前記口金部は一方の回転筒に、前記胴部の内筒部は他方の回転筒に、それぞれ連結されるとともに、前記インキ芯体は前記移動筒に着脱交換可能に支持されてなる。
【０００９】
上記した構成の筆記具において、胴部の外筒部を回動操作すると、内筒部が一体に回動し、さらに、内筒部に連結された繰出機構部の回転筒が一体に回動し、移動筒が回転筒内を移動する。インキ芯体は移動筒とともに移動し、ペン先部が口金部より突出する。使用後は、胴部の外筒部を反対方向へ回動操作すると、内筒部および内筒部に連結された繰出機構部の回転筒が反対方向へ一体に回動し、移動筒が回転筒内を逆方向へ移動する。インキ芯体は移動筒とともに移動し、ペン先部が口金部内に引っ込む。
【００１０】
上記した構成の筆記具を製作するには、回転式ボールペンの部品として市販されている繰出機構部およびインキ芯体を入手する。空薬莢は胴部の外筒部として用い、外筒部の内部に内筒部を固定し、内筒部を繰出機構部の一方の回転筒に連結する。また、弾頭は本体部の口金部として用い、口金部を繰出機構部の他方の回転筒に連結する。インキ芯体は移動筒に支持させる。これにより廃品である空薬莢や弾頭を有効利用して筆記具を製作することができる。
【００１１】
この発明の好ましい実施態様においては、前記内筒部は、一方の開口端にナット部材が装着され、前記ナット部材に前記外筒部の基端部にネジ頭部が支持されたネジをネジ込むことにより外筒部内に内筒部が固定されている。
【発明の効果】
【００１２】
この発明によれば、金属製の空薬莢を筆記具の構成部品として有効利用することができる。また、廃品である空薬莢に替芯タイプの筆記具としての機能を付加し、実用品としての付加価値をつけたので、需要者の拡大がはかられ、資源のさらなる活用をはかることができる。
【図面の簡単な説明】
【００１３】
【図１】この発明の一実施例である筆記具の外観を示す正面図である。
【図２】図１の実施例を分解して示す正面図である。
【図３】図１の実施例の構造とその動作を示す断面図である。
【図４】ライフル弾の空薬莢と弾頭とを示す断面図である。
【図５】ライフル弾の弾薬の構造を示す断面図である。
【発明を実施するための形態】
【００１４】
図１は、この発明の一実施例である筆記具１の外観を示している。
図示例の筆記具１は、ライフル弾の空薬莢と弾頭とを加工したものを用いて製作されており、図４には、加工後の空薬莢２と弾頭３とが示してある。図示例の空薬莢２は真鍮製、弾頭３は銅製であるが、それ以外の材質のものであってもよい。
【００１５】
空薬莢２は断面形状が全長にわたり円形の筒状体であり、基端側に厚肉状の頭部２１を有し、先端側に径が絞られた小径部２２が設けられている。頭部２１の外面中央には雷管設置用の凹部２３が設けられ、凹部２３と内部の中空部２５とは凹部２３の底を貫通する連通孔２４を介して連通している。なお、この凹部２３からは雷管が除去されている。弾頭３には穿孔加工によって長さ方向に貫通する中空孔３１が形成されており、弾頭３の先端は中空孔３１の開口部３２となっている。
【００１６】
図１に示す筆記具１は、先端にペン先部４１を有するインキ芯体４と、インキ芯体４を長さ方向に往復動可能に支持する本体部５と、本体部５の基端側に正逆各方向へ回動可能に連設される胴部７とを備えている。胴部７を正逆各方向へ回動操作すると、インキ芯体４が往復動し、本体部５の先端側よりペン先部４１が出没する。
【００１７】
図２は、図１に示す筆記具１の構成部品を示しており、本体部５とインキ芯体４と胴部７とで構成されている。本体部５は口金部５０と繰出機構部６とを含み、胴部７は外筒部７０、内筒部８、ナット部材８０、ネジ９、および蓋体９１を含んでいる。
【００１８】
インキ芯体４は、インキが充填された合成樹脂製の細径の中空管４０の先端側にペン先部４１が設けられ、基端側には合成樹脂製の鞘部４２が装着されている。鞘部４２の外周面の中空管４０の側にはネジ部４３が設けられている。
【００１９】
胴部７は、図３（１）に示すように、図４に示した空薬莢２をもって構成される外筒部７０の中空部２５に、空薬莢２の小径部２２より小径のパイプ状の内筒部８が外筒部７０と中心を揃えて固定されたものである。内筒部８は、一方の開口端にナット部材８０が内装されており、この開口端を外筒部７０（空薬莢２）の頭部２１の内面に当接させている。ナット部材８０は外筒部７０の頭部２１の内面に接し、頭部２１の連通孔２４に挿入されたネジ９がナット部材８０にネジ込まれることにより外筒部７０の中空部２５に内筒部８の一端が固定される。ネジ９のネジ頭部９０は凹部２３内に支持され、ネジ頭部９０上に凹部２３内に嵌められた真鍮製の円板形状の蓋体９１が被せられている。
【００２０】
本体部５は、図４に示した弾頭３をもって構成される口金部５０と、インキ芯体４を往復動させてペン先部４１を口金部５０の先端の開口部３２より出没動作させる繰出機構部６とを備えている。この実施例の繰出機構部６は、口金部５０と胴部７の外筒部７０とのいずれか一方を回動操作したとき、ペン先部４１が出没動作するように構成されており、一方が他方に対して回動自由に連結された２個の回転筒６１，６２を有している。一方の回転筒６２の内部には、図３において点線で示すように、回転筒６１，６２のいずれかが回動するとき、これに応動するように移動筒６０が往復動可能に配備されている。
【００２１】
回転筒６２の内部には、さらに、他方の回転筒６１と移動筒６０とを接続するスプリングバネ６４が設けられている。このスプリングバネ６４は、回転筒６２の側を回動させたときは、移動筒６０は回動せずに移動し、これに伴って伸縮するが、回転筒６１の側を回動させたときは、移動筒６０は回転筒６１と一体に回動しつつ移動し、これに伴って伸縮する。
【００２２】
移動筒６０の外周面には螺旋溝６５が形成され、一方、回転筒６２の内面には螺旋溝６５に摺動自由に係合する突部６６が突設されている。螺旋溝６５と突部６６とは各回転筒６１，６２の回転運動を移動筒６０の往復直線運動に変換する変換機構６７を構成する。
なお、上記の変換機構６７を含む繰出機構部６は、従来の回転式ボールペン、すなわち、胴部の正逆各方向の回動によりインキ芯体のペン先部が出没動作するタイプの回転式ボールペンに組み込まれている公知のものである。
【００２３】
口金部５０は一方の回転筒６１に、胴部７の内筒部８は他方の回転筒６２に、それぞれ連結されるとともに、インキ芯体４は、鞘部４２のネジ部４３が移動筒６０の基端部の内部に形成されたネジ孔部６３にネジ固定されている。インキ芯体４は、インキななくなったとき、ネジ部４３をネジ孔部６３から外すことで、新たなものに交換できる。インキ芯体４の中空管４０は、移動筒６０内を貫通しており、ペン先部４１は移動筒６０の往復動によって口金部５０の先端の開口部３２より出没する。
【００２４】
上記した構成の筆記具１において、胴部７の外筒部７０を回動操作すると、内筒部８が一体に回動し、さらに、内筒部８に連結された繰出機構部６の一方の回転筒６２が一体に回動する。この回転筒６２の回転運動は変換機構６７により移動筒６０の直線運動に変換され、移動筒６０は回転筒６２内を移動する（図３（２）参照）。インキ芯体４は移動筒６０とともに移動し、ペン先部４１が口金部５０の開口部３２より突出する（図３（３）参照）。使用後に胴部７の外筒部７０を反対方向へ回動操作すると、内筒部８および内筒部８に連結された繰出機構部６の回転筒６２が一体に反対方向へ回動する。これにより、移動筒６０は回転筒６２内を前記とは逆方向へ移動するもので、インキ芯体４は移動筒６０とともに移動し、ペン先部４１は口金部５０内に引っ込む。
なお、口金部５０を回動操作した場合も移動筒６０は回転筒６２内を移動するもので、これによりインキ芯体４のペン先部４１を口金部５０より出没動作させることができる。
【００２５】
上記した構成の筆記具１を製作するには、回転式ボールペンの部品として市販されている繰出機構部６およびインキ芯体４を入手する。空薬莢２は雷管を除去するなどして胴部７の外筒部７０として用い、外筒部７０の内部に内筒部８を固定し、さらに内筒部８を繰出機構部６の一方の回転筒６２に連結する。また、弾頭３は穿孔加工を行うなどして本体部５の口金部５０として用い、口金部５０を繰出機構部６の他方の回転筒６１に連結する。インキ芯体４は移動筒６０にネジ固定する。これにより廃品である空薬莢２や弾頭３を有効利用して筆記具１を製作することができる。
【符号の説明】
【００２６】
１    筆記具
２    空薬莢
３    弾頭
４    インキ芯体
５    本体部
６    繰出機構部
７    胴部
８    内筒部
９    ネジ
４１  ペン先部
５０  口金部
６０  移動筒
６１，６２  回転筒
８０  ナット部材
【図１】
0006695703.tif 000002
【図２】
0006695703.tif 000003
【図３】
0006695703.tif 000004
【図４】
0006695703.tif 000005
【図５】
0006695703.tif 000006